(57)【要約】【課題】  表示部を利用する通信機能を動作中に、表示部が閉じられた場合、意図しない通信料金の課金を停止させ、他の通信機能を実行することができ、表示部を利用する必要がない通信機能を動作中に、表示部が閉じられた場合、動作中の通信機能を継続させることができるものを提供することを目的とする。【解決手段】  １本の通信回線に接続し、複数の通信種別を実現することができる通信端末において、通信内容等を表示し、開閉可能な機構を具備する表示部と、上記表示部が折り畳まれているかどうかを検出するパネル開閉センサと、上記表示部が折り畳まれていることを、上記パネル開閉センサが検出したときに、表示を必要とする通信機能が使用中であれば、通信機能を終了し、一方、上記表示部が折り畳まれていることを、上記パネル開閉センサが検出したときに、表示を必要としない通信機能が使用中であれば、通信機能を継続する制御手段とを有する。【選択図】  図１
2005123846.tif 000002
【特許請求の範囲】
【請求項１】
１本の通信回線に接続し、複数の通信種別を実現することができる通信端末において、
通信内容等を表示し、開閉可能な機構を具備する表示部と；
上記表示部が折り畳まれているかどうかを検出するパネル開閉センサと；
上記表示部が折り畳まれていることを、上記パネル開閉センサが検出したときに、表示を必要とする通信機能が使用中であれば、通信機能を終了し、一方、上記表示部が折り畳まれていることを、上記パネル開閉センサが検出したときに、表示を必要としない通信機能が使用中であれば、通信機能を継続する制御手段と；
を有することを特徴とする通信端末。
【請求項２】
請求項１において、
上記表示部が折り畳まれていることを、上記パネル開閉センサが、検出したときに、表示を必要とする通信機能が使用中であれば、通信機能の状態がオンライン状態であっても、オフライン状態であっても、通信機能を終了させることを特徴とする通信端末。
【請求項３】
１本の通信回線に接続し、複数の通信種別を実現することができる通信端末の制御方法において、
開閉可能な機構を具備する表示部が通信内容等を表示する表示段階と；
上記表示部が折り畳まれているかどうかをパネル開閉センサが検出する検出段階と；
上記表示部が折り畳まれていることを、上記パネル開閉センサが検出したときに、表示を必要とする通信機能が使用中であれば、通信機能を終了し、一方、上記表示部が折り畳まれていることを、上記パネル開閉センサが検出したときに、表示を必要としない通信機能が使用中であれば、通信機能を継続する制御段階と；
を有することを特徴とする通信端末の制御方法。
【請求項４】
１本の通信回線に接続し、複数の通信種別を実現することができる通信端末を制御するプログラムにおいて、
開閉可能な機構を具備する表示部が通信内容等を表示する表示手順と；
上記表示部が折り畳まれているかどうかをパネル開閉センサが検出する検出手順と；
上記表示部が折り畳まれていることを、上記パネル開閉センサが検出したときに、表示を必要とする通信機能が使用中であれば、通信機能を終了し、一方、上記表示部が折り畳まれていることを、上記パネル開閉センサが検出したときに、表示を必要としない通信機能が使用中であれば、通信機能を継続する制御手順と；
をコンピュータに実行させるプログラム。
【発明の詳細な説明】
【技術分野】
【０００１】
本発明は、表示部を開閉する機構を有し、１本の通信回線に接続し、複数の通信種別を実現することができる通信端末、その制御方法およびプログラムに関する。
【背景技術】
【０００２】
近年、インターネットの普及が急速に拡大し、通話のみの通信機能を持つ従来のファクシミリ等の通信端末が、インターネット通信等、複数の通信種別を実現することができる装置が出現している。
【０００３】
上記インターネット通信を実現するためには、大型の表示部を必要とし、したがって、通信端末の表示部が、次第に大型化している。
【０００４】
この場合、表示部は、大きな消費電力を必要とするので、この消費電力を削減するために、従来技術では、通信端末を使用していないときに、表示部の電源を切ることにし、これによって、無駄に電力を消費しないようにしている。
【０００５】
また、従来の通信端末として、様々なデザインが登場し、表示部を開閉することができる機構を有する通信端末が出現し、表示部が閉じた状態のときに、表示部の電源を切る通信端末が知られている。
【０００６】
赤外線通信機能を持つ従来の通信端末では、蓋が閉じた状態で、赤外線通信の電源を切り、これによって、消費電力を節減する通信端末が知られている（たとえば、特許文献１参照）。
【０００７】
この従来例では、赤外線通信用の回線と通話用回線とは、互いに異なり、蓋の開閉に関わらず、通話することができる。
【特許文献１】特開２０００−２０１０９３号公報
【発明の開示】
【発明が解決しようとする課題】
【０００８】
ところで、１本の通信回線のみを介して、複数の通信種別（通話、赤外線通信、ＷＥＢブラウザ閲覧機能等の通信種別）を実行する通信端末では、１つの通信種別で通信する場合（たとえば通話する場合）、他の通信機能（たとえば赤外線通信）を停止する必要がある。
【０００９】
上記の場合、表示部が閉じられた状態でも、通話することができるが、他の通信機能を動作している場合は、通話することができない。また、ＷＥＢブラウザ閲覧機能は、通信回線と表示部との両方を必要とするアプリケーションであるので、ＷＥＢブラウザ閲覧中は、通話することができない。
【００１０】
しかし、上記従来例では、表示部が閉じられた状態で、ＷＥＢブラウザが動作している場合、通話するためには、表示部を一度開け、ＷＥＢブラウザを終了させる必要があり、この操作が煩雑であるという問題がある。
【００１１】
また、上記従来例では、インターネット通信の課金は、従量課金であり、接続されている間は課金される。表示部が閉じられた状態でＷＥＢブラウザが動作している場合、画面を閲覧できないにも関わらず、課金され続けるので、ユーザが気付かないうちに、不要な通信料金が発生するという問題がある。
【００１２】
本発明は、表示部を利用する通信機能を動作中に、表示部が閉じられた場合、意図しない通信料金の課金を停止させ、他の通信機能を実行することができ、表示部を利用する必要がない通信機能を動作中に、表示部が閉じられた場合、動作中の通信機能を継続させることができる通信端末、通信端末の制御方法およびプログラムを提供することを目的とするものである。
【課題を解決するための手段】
【００１３】
本発明は、１本の通信回線に接続し、複数の通信種別を実現することができる通信端末において、通信内容等を表示し、開閉可能な機構を具備する表示部と、上記表示部が折り畳まれているかどうかを検出するパネル開閉センサと、上記表示部が折り畳まれていることを、上記パネル開閉センサが検出したときに、表示を必要とする通信機能が使用中であれば、通信機能を終了し、一方、上記表示部が折り畳まれていることを、上記パネル開閉センサが検出したときに、表示を必要としない通信機能が使用中であれば、通信機能を継続する制御手段とを有する通信端末である。
【発明の効果】
【００１４】
本発明によれば、１本の通信回線に接続し、複数の通信種別を実現することができる通信端末において、表示部を利用する通信機能を動作中に、表示部が閉じられた場合、意図しない通信料金の課金を阻止することができるという効果を奏し、また、他の通信機能を実行することができ、表示部を利用する必要がない通信機能を動作中に、表示部が閉じられた場合、動作中の通信機能を継続させることができるという効果を奏する。
【発明を実施するための最良の形態】
【００１５】
発明を実施するための最良の形態は、次の実施例である。
【実施例１】
【００１６】
図１は、本発明の実施例１である通信端末１０を示す図である。
【００１７】
通信端末１０は、表示部１１と、操作部１２と、ハンドセット１３と、パネル開閉センサ１４とを有し、表示部１１を折り畳む機構とＷＥＢブラウザ機能とを有する通信端末である。
【００１８】
通信端末１０は、通信回線２０を介して、通信網２１と接続され、他の通信端末と通話し、ＷＥＢ通信を行う。
【００１９】
表示部１１は、液晶表示器等を用いた表示部であり、折り畳まれることによって、ユーザから見えない状態になり、また表示部１１が折り畳まれているかどうかの状態の変化を、パネル開閉センサ１４が検知する。
【００２０】
操作部１２は、テンキーや各種ファンクションキーを含む。表示部１１と操作部１２とは、通話制御に用いられるほか、ＷＥＢブラウザ機能を実現するためにも用いられる。
【００２１】
ハンドセット１３は、音声通話用入出力のためのハンドセットである。
【００２２】
次に、上記実施例の動作について説明する。
【００２３】
図２は、上記実施例において、アプリケーションの開始から終了までの動作を示すフローチャートである。
【００２４】
まず、通信端末１０は、通話、ＷＥＢブラウザ閲覧、メニュー設定等のアプリケーションを持ち、アプリケーションを起動する（Ｓ１）と、アプリケーション起動中になる。アプリケーション起動中に、表示部１１が閉じられ、パネル開閉センサ１４が、表示部１１が閉じられていることを検知した場合（Ｓ２）、アプリケーションが動作するときに、表示部１１と通信回線２０との両方を必要とするタイプ（たとえば、ＷＥＢブラウザ閲覧）であれば（Ｓ３）、強制終了処理を行った後に（Ｓ４）、スタンバイに戻る（Ｓ５）。
【００２５】
なお、通話は、通信回線２０を必要とするタイプであるが、パネルを閉じて表示部１１が見えない状態でも、通話動作に支障がないので、通話は、表示部１１と通信回線２０との両方を必要とするタイプではない。
【００２６】
アプリケーションの動作に、表示部１１と通信回線２０との両方を必要としないタイプ（表示部１１、通信回線２０のうちの一方のみを必要とするタイプ）であり（Ｓ３）、起動中のアプリケーションがタイムアウトを持つタイプ（たとえば、メニュー設定）であれば（Ｓ６）、アプリケーションの動作が終了するか、タイムアウトした場合に（Ｓ７）、自動的にスタンバイに戻る（Ｓ５）。
【００２７】
アプリケーションの動作に、表示部１１と通信回線２０との両方を必要としないタイプ（表示部１１、通信回線２０のうちの一方のみを必要とするタイプ）であり（Ｓ３）、起動中のアプリケーションが、タイムアウトしないタイプ（たとえば、通話）であれば（Ｓ６）、ユーザによるアプリケーションの中断操作を受けた場合に（Ｓ８）、強制終了処理を行った後に（Ｓ９）、スタンバイに戻る（Ｓ５）。ユーザによるアプリケーションの中断操作が行われるまでは（Ｓ８）、表示部１１が閉じられてはいるが、アプリケーションを継続する。
【００２８】
アプリケーション起動中に、ストップキー押下や終話動作等、ユーザによるアプリケーションの中断操作を受けると（Ｓ１０）、強制終了処理を行った後に（Ｓ９）、スタンバイに戻る（Ｓ５）。
【００２９】
アプリケーション起動中に、起動中のアプリケーションがタイムアウトを持つタイプ（たとえば、メニュー設定）であれば（Ｓ１１）、アプリケーションの動作が終了するかタイムアウトした場合（Ｓ１２）、自動的にスタンバイに戻る（Ｓ５）。アプリケーションがタイムアウトを持たないタイプであれば（Ｓ１１）、そして、タイムアウトを持っているがタイムアウト時間を経過していなければ（Ｓ１２）、アプリケーションを継続する。
【００３０】
つまり、上記実施例は、１本の通信回線２０に接続し、複数の通信種別を実現することができる通信端末において、通信内容等を表示し、開閉可能な機構を具備する表示部１１と、表示部１１が折り畳まれているかどうかを検出するパネル開閉センサ１４を有し、表示部１１が折り畳まれていることを、パネル開閉センサ１４が検出したときに、表示を必要とする通信機能が使用中であれば、通信機能を終了し、一方、表示部１１が折り畳まれていることを、パネル開閉センサ１４が検出したときに、表示を必要としない通信機能が使用中であれば、通信機能を継続する制御手段を有する。
【００３１】
また、上記実施例において、表示部１１が折り畳まれていることを、パネル開閉センサ１４が検出したときに、表示を必要とする通信機能が使用中であれば、通信機能の状態がオンライン状態であっても、オフライン状態であっても、通信機能を終了させる。
【００３２】
上記実施例は、上記のように、表示部１１を利用する通信機能を動作中に、表示部１１を閉じた場合、動作中の通信機能を終了させることによって、意図しない通信料金の課金を停止させ、他の通信機能を実行することを可能な状態にし、表示部１１を利用する必要がない通信機能を動作中に、表示部１１を閉じた場合、動作中の通信機能を継続させるので、表示部１１を開閉する機構を有し、１本の通信回線２０と、複数の通信種別を実現することができる通信端末において、簡単な操作で通信種別を切り替えることができ、また、不要な通信料金の発生を阻止することができる。
【００３３】
また、上記実施例は、１本の通信回線に接続し、複数の通信種別を実現することができる通信端末の制御方法において、開閉可能な機構を具備する表示部が通信内容等を表示する表示段階と、上記表示部が折り畳まれているかどうかをパネル開閉センサが検出する検出段階と、上記表示部が折り畳まれていることを、上記パネル開閉センサが検出したときに、表示を必要とする通信機能が使用中であれば、通信機能を終了し、一方、上記表示部が折り畳まれていることを、上記パネル開閉センサが検出したときに、表示を必要としない通信機能が使用中であれば、通信機能を継続する制御段階とを有する通信端末の制御方法の例である。
【００３４】
さらに、上記実施例は、１本の通信回線に接続し、複数の通信種別を実現することができる通信端末を制御するプログラムにおいて、開閉可能な機構を具備する表示部が通信内容等を表示する表示手順と、上記表示部が折り畳まれているかどうかをパネル開閉センサが検出する検出手順と、上記表示部が折り畳まれていることを、上記パネル開閉センサが検出したときに、表示を必要とする通信機能が使用中であれば、通信機能を終了し、一方、上記表示部が折り畳まれていることを、上記パネル開閉センサが検出したときに、表示を必要としない通信機能が使用中であれば、通信機能を継続する制御手順とをコンピュータに実行させるプログラムの例である。
【図面の簡単な説明】
【００３５】
【図１】本発明の実施例１である通信端末１０を示す図である。
【図２】上記実施例において、アプリケーションの開始から終了までの動作を示すフローチャートである。
【符号の説明】
【００３６】
１０…通信端末、
１１…表示部、
１２…操作部、
１３…ハンドセット、
１４…パネル開閉センサ、
２０…通信回線、
２１…通信網。
【図１】
2005123846.tif 000003
【図２】
2005123846.tif 000004